(57)【要約】　　　（修正有）【課題】ウイルス、細菌、寄生虫、遺伝子異常、遺伝子発現の検出に使用され得るＰｔ含有化合物を含む診断用キットを提供する。【解決手段】下記の構造式１または２で表わされ、化学式｛ＰｔＩＩ（ｗ）（ｘ）（ｙ）（ｚ）｝または｛ＰｔＩＶ（ｕ）（ｖ）（ｗ）（ｘ）（ｙ）（ｚ）｝を持つハイブリダイゼーションに用いる核酸プローブ標式用のＰｔ含有化合物である。式中のＵ、Ｖ、Ｗ、Ｘ、Ｙ、Ｚは同一あるいは異なった必ずしも互に結合している必要のないリガンドを表わし、その中の一つはＣｌ-、（ＣＨ3）2ＳＯまたはＨ2Ｏが遊離基として適切であり、一方検出可能なマーカー基としては蛍光基が適する。水溶性媒質中でこれらの化合物は自然に又は不可逆的にＤＮＡに吸着し、この標識されたＤＮＡは蛍光顕微鏡で、あるいは周知の染色法などで検出される。2004129659.tif 000003【選択図】　なし【特許請求の範囲】
【請求項１】
　下記の構造式（１）または（２）で表わされ、化学式｛Ｐｔ（ＩＩ）（ｗ）（ｘ）（ｙ）（ｚ）｝または｛Ｐｔ（ＩＶ）（ｕ）（ｖ）（ｗ）（ｘ）（ｙ）（ｚ）｝を持つ、ハイブリダイゼーションに用いる核酸プローブ標識用のＰｔ含有化合物であり、
【化１】
2004129659.tif 000002
式中のｕ、ｖ、ｗ、ｘ、ｙ、ｚはそれぞれ同一または異なった、結合または非結合のリガンドを表わし、その中の一つはＣｌ−、（ＣＨ３）２ＳＯ、Ｈ２Ｏ、Ｂｒ−、Ｉ−、Ｆ−、ＳＯ４２−、ＮＯ３−、ＰＯ４３−、ＣＯ３２−、硝酸エチル、燐酸塩、蓚酸塩、クエン酸塩、および置換スルフオキシドでなる群から選ばれた遊離リガンドであり、残りのリガンドの中の少なくとも一つは検出可能なマーカー類を表わす、Ｐｔ含有化合物。
【請求項２】
　検出可能なマーカー類が、ビオチン基、ジゴキシゲニン基またはＡＭＣＡ基を含む基であることを特徴とする請求項１に記載の化合物。
【請求項３】
検出可能なマーカー類が、ビオチン基、ジゴキシゲニン基またはＡＭＣＡ基と、二重結合した硫黄原子、−ＳＲ基、ＮＲ’Ｒ”基または窒素環（−Ｎ−）であり、Ｒ’Ｒ”ないしＲは独立して選択され、各々有機残基または水素を表わす基とからなるマーカー類であることを特徴とする請求項１または２に記載の化合物。
【発明の詳細な説明】
【技術分野】
【０００１】
　この種のＰｔ含有化合物は、リーダイク、ヨット、ストルクトによる文献Bonding（ベルリン）、６７巻５３−６２頁に示されている。
【背景技術】
【０００２】
　上記文献には（殊に）蛋白質およびＤＮＡ分子に高い親和性を持つ抗癌化合物、シスＰｔ（ＮＨ３）２Ｃｌ２が開示されており、特にこの化合物は巨大分子中の硫黄族とともにプリン塩基であるグアニン及びアデニン中のＮ７窒素原子に顕著な親和性を持つことが理解されよう。
【０００３】
　二つの塩素リガンドの解離により二つの反応部位が出現し、これらのＰｔ（プラチナ）化合物はこれによって同一あるいは反対側ＤＮＡ鎖上の隣接する二つのグアニンまたはアデニン塩基を架橋することが出来る。シスプラチナを抗癌剤（サイトスタチカム）として応用することはこの機構に基づいている。
【０００４】
　この他にも関連するカルボプラチナ化合物が上記の文献に示されており、これらの化合物もまたシスプラチナ化合物と同様の機構で殊に蛋白質及びＤＮＡ分子に高い親和性を持つ。
【０００５】
　これに対しＰｔ（ジエン）Ｃｌの様な一塩化プラチナ化合物は、ＤＮＡに対する親和性を保つことは明白であるが、架橋を作らないため相補的ＤＮＡ鎖の塩基対形成を殆んど妨げず、従って、抗癌作用を持たない。
【０００６】
　米国特許第４，７１１，９５５号明細書によれば、非放射性核酸標識技術を利用できれば、現在の医学的−生物学的診療、特に診断にＤＮＡ／ＲＮＡ技術を応用することが望まれている。現在応用されている既知のＤＮＡ及びＲＮＡの非放射性標識の方法は、一般的に二つのカテゴリーに分けられる。
【０００７】
　１．酵素的あるいは有機合成的経路による標識；例えばビオチン、ブロモデオキシウリジン（BrdU）、ジゴキシゲニン、フルオレセン及び過酸化水素。
　２．フォトビオチン、ＡＡＦ，水銀、ズルフオン族の様に直接的な化学結合による標識。
【０００８】
　これらの標識物の応用は特に標識過程の複雑さ、標識すべき合成オリゴヌクレオチドの、時にして限定された長さ、有害化合物の使用そして核酸に結合した時の標識の安定性に関連した多くの問題点を含んでいる。
【発明の開示】
【０００９】
　本発明はその応用時に上記の問題点を効果的に除去出来るＰｔ含有化合物を提供することを企図するものである。
【００１０】
　この目的のため本発明は添付の図に示す構造式（１）または（２）の化学式｛ＰｔＩＩ（ｗ）（ｘ）（ｙ）（ｚ）｝あるいはＰｔＩＶ｛（ｕ）（ｖ）（ｗ）（ｘ）（ｙ）（ｚ）｝を持ち、ｕ、ｖ、ｗ、ｘ、ｙ、ｚが同一あるいは異なった且つ互いに結合または非結合のリガンドで、少なくとも一は遊離リガンドを表わし、残りのリガンドのうち少なくとも一は検出可能なマーカー基である化合物を提供する。
【００１１】
　これらの化合物は本質的に新規であり、一方例えばハプテン、フルオレセンまたはローダミンといった直接あるいは間接的に検出可能なマーカー基を備え、且つ他方で適切な遊離基を備える特に好適なＤＮＡ標識であり、一般的な表示ＰｔＭ（Ｐｔはプラチナを表わし、Ｍはマーカー基を意味する）で示され独特の性質を持つ。
【００１２】
　既述のように、水溶性媒質中においてこれらの化合物は自然にまた不可逆的にＤＮＡに吸着する。この上このようにして標識されたＤＮＡは、構造式（１）または（２）を持つ残余化合物とアルコール沈澱により分離することが出来る。重要な利点はこのようにして標識されたＤＮＡがハイブリダイゼーション後直ちに蛍光顕微鏡で、あるいは周知の免疫組織化学染色法の一によって間接的に検出され得ることにある。
【００１３】
　本発明のプラチナ含有化合物の利点を簡単に要約すれば、
　１．酵素若しくは有機合成法を必要としない、直接−殆んど瞬時での−巨大分子の標識
　２．簡単な常套の手法による標識分子の一段階精製
　３．殆んど全ての周知の（顕微鏡的）手法による直接的あるいは間接的な標識分子の検出にある。
【００１４】
　更に有利な点としては、本発明に開示の放射性（１４Ｃまたは３５Ｓ）Ｐｔ（プラチナ）含有化合物は、特殊な目的（例えば超高感度なＲＮＡのインサイチュウハイブリダイゼーション）のためにプローブの簡単で迅速な（非酵素的）標識法として応用され、引き続くオートラジオグラフィーによって直接検出され得ることにある。
【００１５】
　この化合物によって標識されたプローブの別の重要な新たな応用は、電子顕微鏡レベルでのインサイチュウハイブリダイゼーションであり、本発明に開示の化合物中のＰｔ（プラチナ）原子の大きな質量が電子密度の直接的なプローブの特異的な局所上昇をもたらす。
【００１６】
　また本発明によれば、遊離リガンドとして（ＣＨ３）２ＳＯ、Ｈ２ＯあるいはＣｌが特に適切であることが明かであろう。構造式（１）または（２）を持つ化合物中の遊離リガンドとしては前記のリガンドが好ましいが、この他に以下の基をもちいることが好適であることが判明している。Ｂｒ−、Ｉ−またはＦ−；ＳＯ４２−、ＮＯ３−、ＰＯ４３−、ＣＯ３２−及び硝酸エチルの様な同族体；燐酸塩、蓚酸塩、クエン酸塩及びそれらの誘導体；Ｈ２Ｏ、ＲＯＨ及びＲＯ−、（ここでＲは有機残基であるが）。且つ置換スルフオキシドＲ１Ｒ２ＳＯ、ここでＲ１およびＲ２は互いに同一または異なる有機残基を表わす。
【００１７】
　構造式（１）または（２）を持つ化合物中の検出可能なマーカー基としては、蛍光基が一般的に選択に値する。特にフルオレセンイソチオシアネート（ＦＩＴＣ）またはテトラメチルローダミンイソチオシアネート（ＴＲＩＴＣ）が選択に値する。
【発明を実施するための最良の形態】
【００１８】
　本発明に開示の最適な化合物は、｛Ｐｔ（エチレンジアミン）（Ｍｅ２ＳＯ）（フルオレセン−ＮＨ（ＣＳ）−ＮＨＣＨ３）｝であり、以下においては単にＰｔＦという。
【００１９】
　本発明に開示の新規な化合物はウイルス診断の目的、細菌診断の目的、遺伝子異常の検出あるいは遺伝子表現の検出等に特に適している。
【００２０】
　培養不可能あるいは培養が非常に困難なウイルス、血清学的診断方法が極度に複雑なウイルス、あるいは体外では非常に不安定なため感染試験に不適切なウイルスが数多く知られている。
【００２１】
　これらのウイルスのいくつかは、病気の急性期、保菌状態あるいはヒトＤＮＡへのウイルスゲノムの挿入との間の分別の必要性によって診断がより妨げられる危惧がある。一方、これに対しＤＮＡプローブを利用することにより進展が図られている。ある種のウイルスは一層重大な病原作用を持ち、悪性腫瘍の進行と関連している。従ってこれらのウイルスおよび患者の臨床的追跡調査との関連性を正確に把握することは重要な問題である。
【００２２】
　原理的にウイルス株または亜型はＤＮＡ／ＲＮＡプローブによって互いに識別されよう。
【００２３】
　標識されたＤＮＡあるいはＲＮＡプローブを用いた検出方法により、上述の問題点が確実に解決され得る。ＤＮＡおよびＲＮＡウイルスの双方の診断に大きな進展が見られている。これらの方法の利点はウイルスＤＮＡ／ＲＮＡの存在を直ちに患者の検体（塗末標本、疱疹試料、鼻あるいは他の体液、組織片等）から検査できることにある。既にウイルスに起因する死亡率などに関する重要な情報が提供されている。
【００２４】
　更に、類似化合物において本質的には周知の方法により合成されることを特徴とする、構造式（１）または（２）の化学式｛ＰｔＩＩ（ｗ）（ｘ）（ｙ）（ｚ）｝あるいはＰｔＩＶ｛（ｕ）（ｖ）（ｗ）（ｘ）（ｙ）（ｚ）｝を持つ本発明に開示のＰｔ含有化合物の製法が本発明に含まれる。このときｕ、ｖ、ｗ、ｘ、ｙ、ｚは上記の意味で用いられる。
【００２５】
　本発明による望ましいＰｔ含有化合物は、水中でフルオレセン−Ｎ＝Ｃ＝ＳとＣＨ３ＮＨ２とを転換し、ｐＨ２〜３に酸性化してフルオレセン−ＮＨ（ＣＳ）−ＮＨＣＨ３を溶液から沈澱させ、得られた沈澱物を水に懸濁し、塩基を加えて懸濁液のｐＨを１０〜１１に調整して溶液を鮮黄色にし、この溶液に｛Ｐｔ（エチレンジアミン）（Ｍｅ２ＳＯ）Ｃｌ｝の水溶液を加え、反応混合物を室温かつ暗所で撹拌し、酸性化により未反応のフルオレセン−ＮＨ（ＣＳ）−ＮＨＣＨ３を沈澱させ、濾過し、最終的に濾過物を凍結乾燥して｛Ｐｔ（エチレンジアミン）Ｍｅ２ＳＯ（フルオレセン−ＮＨ（ＣＳ）−ＮＨＣＨ３）｝として得られる。
【００２６】
　次いでウイルス、細菌、寄生虫、遺伝子異常、遺伝子発現の検出に使用され得、本発明に開示のＰｔ含有化合物を含む診断用キットに本発明を採用することができる。
【００２７】
　ここで以下に実施例を参照して本発明の明確化を図る。
【実施例】
【００２８】
　（実施例Ｉ）
　標識目的のためのＰｔＦの合成
　まず１００ｍｇのフルオレセン−Ｎ＝Ｃ＝Ｓを１００ｍｌの水に溶けた１ｍｌのＣＨ３ＮＨ３と反応させ、フルオレセン−ＮＨ（ＣＳ）ＮＨＣＨ３を作成する。反応は室温、暗所で連続撹拌しながら約１時間行なった。塩酸（１モル／リッター｛Ｍ｝）でｐＨを２〜３に酸性化し、得られた反応産物、フルオレセン−ＮＨ（ＣＳ）−ＮＨＣＨ３を溶液内で沈澱させる。沈澱物を水で洗浄し回収する。
【００２９】
　次にこの様にして得られたフルオレセン−ＮＨ（ＣＳ）ＮＨＣＨ３１００ｍｇ（０．２３７ｍｍｏｌ）を９５ｍｌの水に溶かした懸濁液に、ＮａＯＨ（１Ｍ）を加えてｐＨを１０〜１１に上げ、鮮黄色を呈する溶液を得た。この溶液に水５ｍｌを溶かした７２ｍｇ（０．１７８ｍｍｏｌ）の［Ｐｔ（エチレンジアミン）（Ｍｅ２ＳＯ）Ｃｌ］Ｃｌあるいは［Ｐｔ（エチレンジアミン）Ｃｌ２］Ｃｌ加え、反応混合物を室温、暗所で５〜１０分間ゆっくり撹拌した。続いて、ＨＣｌ（１Ｍ）でｐＨ２〜３に酸性化して未反応のフルオレセン−ＮＨ（ＣＳ）ＮＨＣＨ３を沈澱させ、濾過によって除去した。鮮黄色の濾過物を凍結乾燥し、ＰｔＦと略される安定で乾燥した化合物｛Ｐｔ（エチレンジアミン）（Ｍｅ２ＳＯ）（フルオレセン−ＮＨ（ＣＳ）ＮＨＣＨ３）｝あるいは｛Ｐｔ（エチレンジアミン）Ｃｌ（フルオレセン−ＮＨ（ＣＳ）ＮＨＣＨ３）｝を得た。
【００３０】
　一般原則として、反応は上記のものを出発材料として用いて類似の方法で行いうる。ただしこの時、フルオレセンを例えばローダミン、ＡＭＣＡ、ビオチン、ジゴキシゲニンあるいは他のハプテンに置き換えるが、二重結合した硫黄（Ｓ）原子、−ＳＲ基，ＮＲ’Ｒ’’基あるいは窒素環（−Ｎ−）が存在するように変更してもよい。（Ｈもまた可能である）。但し、Ｒ’Ｒ’’は同一のあるいは互いに異なった有機残基である。これらのＳ−またはＮ−原子はプラチナ原子の結合リガンドとして作用する。
【００３１】
　（実施例ＩＩ）
　ＰｔＦによる核酸標識
　乾燥したＰｔＦ化合物を蒸留水に１ｍｇ／ｍｌの濃度に溶解し、ＮａＯＨでｐＨを９〜１０に上げた。
【００３２】
　次に任意の濃度（例えば１００μｇ／ｍｌ）のＤＮＡ（一本鎖あるいは二本鎖）またはＲＮＡを、約ｐＨ８の低濃度塩緩衝液（例えば１０ｍＭトリス塩酸）に入れ、出来る限り超音波で断片化した。
【００３３】
　この様にして得た核酸溶液に１０倍モル量のＰｔＦ溶液を加え、適当に混合した後室温、暗所で３０〜６０分間反応混合物をインキュベートした。
【００３４】
　次いで１／１０体積容のｐＨ５．６のＮａアセテート溶液を反応混合物に加えて混合し、引き続き２体積溶のエタノールを加え完全に撹拌し、反応バイアルを−８０℃で１５分間、あるいは−２０℃で２時間インキュベートした。
【００３５】
　その後、１０．０００ｇで７分間遠心してＰｔＦ標識核酸を沈澱させた。得られた沈澱物を９０％エタノールで洗浄し、ＰｔＦで標識された核酸を望みとする濃度に任意の緩衝液（例えば１０ｍＭトリス塩酸、ｐＨ７．５、０．３ｍＭＥＤＴＡ）で溶解した。
【００３６】
　この様にしてＰｔＦ標識された核酸は使用可能な状態になった。
ＰｔＦ標識核酸の使用例：
　（実施例ＩＩＩ）
　ヒト乳頭腫ウイルスは培養できないが、ある種の亜型（ＨＰＶ１６／１８）は殊に頸管および陰茎の悪性腫瘍の発生に確実に関連している。
【００３７】
　このような乳頭腫ウイルスの精製したＤＮＡをＰｔＦで標識し、例えば頸管の細胞または組織に対してインサイチュウハイブリダイゼーション法を実行することにより、危険性を持つ型の乳頭腫ウイルスの存在が直接蛍光法あるいは抗ＰｔＦ抗体を用いた間接的な免疫組織化学法によって極めて特異的に示されよう。
【００３８】
　（実施例ＩＶ）
　ａ）ヒト乳頭腫ウイルスは培養できないが、ある種の亜型（ＨＰＶ１６／１８）は高い頻度で頸管あるいは陰茎における悪性腫瘍の進行に確実に関連している。且つ、殊にＤＮＡウイルス（ワクシニア、単純ヘルペス（ＨＳＶ１／２）、エプスタインバール、アデノウイルス）あるいはＲＮＡウイルス（ロタウイルス、インフルエンザＡ、コツクサキーＢ）の検出のためにプローブが開発された。Ｂ型肝炎ウイルスはヒト細胞中では培養できないので、今まではこの急性感染の診断がチンパンジーへの接種（！）によってのみ可能であった。
【００３９】
　ｂ）帯状疱疹性小疱ウイルスもまた培養が非常に困難であり、培養を評価するまでに５〜１４日もかかる。その上このウイルスは不安定で移し変える間に不活化される危惧がある。従ってネガチブ試験は病原体が存在しないことの証明とは一切ならない。且つまたＶＺＶ感染は単純ヘルペスウイルス感染と形態的基盤では識別することができない。市販されている抗血清でさえ免疫組織化学検査では何の回答も与えない。
【００４０】
　ｃ）サイトメガロウイルスの培養には非常に労力がかかる。一週間程度の時間では診断が不可能であり、６週間でも困難である。ＣＭＶは移植患者及び免疫不全の患者（ＡＩＤＳ）における合併症の重大な原因となる。これらの患者に対し優れた検査法は欠かすことができない。
【００４１】
　上記ａ、ｂ、ｃのケースではウイルス診断例の多くの可能性の中の僅かな一例しか開示してないが、ＰｔＭ標識されたプローブを用いたハイブリダイゼーションの手法を応用する事により、これらのケースでの診断が大幅に簡略化され、また迅速化されよう。
【００４２】
　（実施例Ｖ）
　細菌診断
　ＤＮＡプローブを用いた細菌核酸の検出もまた近年可能となったことは明らかであろう。これにより細菌毒素の遺伝子が明らかになる。しかしながらこれらの遺伝子が発現しているか否かを常に識別することは不可能である。染色体およびプラスミドにコードされた病原性因子（殊にリステリアモノサイトジーン、ガス菌腸毒素、コレラ腸毒素、大腸菌腸毒素そしてインバシビティー、シゲラ及びエルシニアエンテロコルチチカ、エンテロインバシビチィー）の迅速な検出は、食中毒及び食品産業での品質管理（最終産物管理）の診断において重要である。
【００４３】
　胃炎患者の胃バイオプシーにＰｔＭを用いてＤＮＡインシチュウハイブリダイゼーションを行ない、ヘリコバクター（以前はカンピロバクター）ピロリを検出することは十分に可能である。
【００４４】
　クラミジアトラコーマティスＤＮＡもまた例えばサンドウイッチ検定あるいはインサイチュウハイブリダイゼーションの手法により検出できよう。
【００４５】
　（実施例ＶＩ）
　寄生虫感染の診断
　世界中で二百万人の人々がマラリヤで死んでいる。原理的には、時をえた正確な診断によってこれは防ぐ事ができる。現在の（常例の）顕微鏡的手法は、第三世界の国々には殆んど全てが複雑すぎる。西洋においても困難な顕微鏡的手法は、ＰｔＭプローブを用いた常例の試料に対するインサイチュウハイブリダイゼーションに置換されよう。これによりマラリヤ種の鑑別診断が相当に簡素化されまた最小限の訓練を受けた人によって行うことができた。第三世界ではＰｔＭに基づいてディップスティック試験が迅速で簡単な診断のための適当な方法となる。
【００４６】
　シストーマ、トリパノゾーマ、トキソプラズマ等によって引き起こされる感染症に対しても同様な例が有効である。
【００４７】
　（実施例ＶＩＩ）
　遺伝子異常の検出
　ＰｔＭプローブを用いたハイブリダイゼーションの手法は、例えば羊水穿刺物や絨毛膜バイオプシーによる先天性異常の胎仔期診断の可能性を提供する。ＨＬＡ関連症診断のためのＨＬＡ型の検出の増進と供に、異常（例えば悪性腫瘍）の出生後の検出もまた可能である。
【００４８】
　制限フラグメント多様性：全てのヒトゲノムは、制限酵素で処理すると断片化され莫大な数の特異的なフラグメント、制限フラグメントになる。仮に突然変異によって制限酵素が作用する部位の塩基配列が変化すれば、これは異常なフラグメントの発達をもたらすものと考えられる。これらのフラグメントはＤＮＡブロッティング法を用いた適切な（ＰｔＭ標識）プローブによって検出されよう（例えば鎌状赤血球貧血、デユシエン筋ジストロフィー、嚢胞性線維症、ハンチングトン舞踏病において）。
【００４９】
　ＤＮＡ異常に属する塩基配列が既知であれば（β−地中海貧血、抗トロンビン欠乏症、成長ホルモン欠乏症、Ｂ型血友病、ＰＫＵ等）、合成オリゴヌクレオチドプローブを用いた異常ＤＮＡの迅速な検出が行われよう。
【００５０】
　ヒトカリオサイト中の転座、欠損、転位及び重複の様な染色体異常の検出は、インサイチュウハイブリダイゼーション及びこれに引き続く直接ＰｔＦ蛍光法あるいは制限フラグメントのサザンブロッティングによって行われよう。
【００５１】
　（実施例ＶＩＩＩ）
　遺伝子発現の検出
　免疫組織化学の手法を用いた細胞内抗原の存在の可視化によっては、その時点で関連した遺伝子が発現していることは証明されない。またその可視化された産物が細胞内に起因するのか細胞外に起因するものであるかも示されない。細胞内でのｍＲＮＡの検出が遺伝子発現の直接の証拠を提供する。この情報は、細胞の機能性に関するデーターを与えるばかりでなく、診断の手助けともなろう。
【００５２】
　非放射性標識を用いたこのＲＮＡ　ＩＳＨ（ＲＩＳＨ）の手法を実施するための現在の問題点を鑑みると、特に十分に浸透性のある免疫組織化学的検出システムを処置する必要性から問題が派生しているので、まさに直接のＰｔＭ標識の応用はそのような診断を実行する上で適切な方法である。このことはＰｔＭフルオレシンの応用については未解決のままである。
【００５３】
　遺伝性疾患の指標として異常ｍＲＮＡを放射性ｃＤＮＡプローブを用いたブロッティングによって検出することは、多くの先天性異常に対してすでに可能であることが証明されている。その迅速さと応用性は、非放射性（あるいは放射性）ＰｔＭ標識により顕著に増大するであろう。
【００５４】
　ＰｔＭプローブを用いたＲＩＳＨあるいはブロッティングは、特定の遺伝子転写産物（例えば甲状腺転移におけるカルシトニンｍＲＮＡ、悪性腫瘍におけるオンコジーンの発現）あるいは胚線条（ヘテロ接合体の欠損）や遺伝子再配列の欠如（リンパ腫）を検出することにより、癌の診断に応用されよう。
【００５５】
　本発明は、次の実施形態が可能である。
【００５６】
　（１）前述の各構造式１または２を持つ化学式｛ＰｔＩＩ（ｗ）（ｘ）（ｙ）（ｚ）｝または｛ＰｔＩＶ（ｕ）（ｖ）（ｗ）（ｘ）（ｙ）（ｚ）｝をとり、ｕ、ｖ、ｗ、ｘ、ｙ、ｚが同一あるいは異なった必ずしも互いに結合している必要のないリガンドを表し、その中で少なくとも一つは遊離リガンドであり、残りのリガンドのうち少なくとも一つは検出可能なマーカー基を表しているＰｔ含有化合物。
【００５７】
　（２）遊離リガンドが（ＣＨ３）２ＳＯ、ＣｌまたはＨ２Ｏであることを特徴とする化合物。
【００５８】
　（３）検出可能なマーカー基が蛍光基であることを特徴とする化合物。
【００５９】
　（４）蛍光基がフルオレシンまたはテトラメチルローダミンであることを特徴とする化合物。
【００６０】
　（５）｛Ｐｔ（エチレンジアミン）（Ｍｅ２ＳＯ）（フルオレシン−ＮＨ（ＣＳ）−ＮＨＣＨ３）｝であることを特徴とする化合物。
【００６１】
　（６）上述のそれぞれ構造式１または２を持つ化学式｛ＰｔＩＩ（ｗ）（ｘ）（ｙ）（ｚ）｝または｛ＰｔＩＶ（ｕ）（ｖ）（ｗ）（ｘ）（ｙ）（ｚ）｝をとり、ｕ、ｖ、ｗ、ｘ、ｙ、ｚが前述の意味を持つＰｔ含有化合物の合成方法であって、Ｐｔ含有化合物が類似化合物にとっては本質的に周知の方法で合成されることを特徴とする合成方法。
【００６２】
　（７）｛Ｐｔ（エチレンジアミン）（Ｍｅ２ＳＯ）（フルオレシン−ＮＨ（ＣＳ）−ＮＨＣＨ３）｝が合成されることを特徴とし、水中でフルオレシン−Ｎ＝Ｃ＝ＳとＣＨ３ＮＨ２とを転換し、ｐＨ２〜３に酸性化することにより前記フルオレシン−ＮＨ（ＣＳ）ＮＨＣＨ３溶液から沈澱させ、その後得られた沈澱物を水に懸濁し塩基を加えて懸濁液のｐＨを１０〜１１の値に調整して淡黄色の溶液を得、この溶液に水に溶かした｛Ｐｔ（エチレンジアミン）（Ｍｅ２ＳＯ）Ｃｌ｝を加え反応化合物を室温、暗所で撹拌し、次に未反応のフルオレシン−ＮＨ（ＣＳ）ＮＨＣＨ３を酸性化することにより沈澱させ、濾過し、最後に濾過液を凍結乾燥して｛Ｐｔ（エチレンジアミン）（Ｍｅ２ＳＯ）（フルオレシン−ＮＨ（ＣＳ）−ＮＨＣＨ３）｝（ＰｔＦ）が産生されることを特徴とする合成方法。
【００６３】
　（８）前述のＰｔ含有化合物を用いたウィルス、細菌または寄生虫感染の医学的診断、遺伝子異常の検出、遺伝子発現の検出方法。
【００６４】
　（９）前述のＰｔ含有化合物を含む、ウィルス、細菌、遺伝子異常または遺伝子発現の検出に使用される診断キット。